(57)【要約】【課題】室内ユニット本体に配置されているドレンパンに装着されているドレンキャップにおいて、安価で露付き性能がよくかつサービス性のよいものを生産すること。【解決手段】室内ユニット本体１の内部に、配置されているドレンパン４に配置されているドレン口７に装着されているドレンキャップ８とドレンキャップ８の外れ防止用の樹脂製であるドレンキャップカバー１０を一体で成型するとともにドレンパン４にドレンキャップカバー１０の係止部１１ａを設けることにより、ドレンキャップ８が自重等で外れることなく、かつ断熱材１２の貼付けが不要となるので、安価で露付き性能のよい室内ユニットの生産が可能となる。【選択図】図１
2007057108.tif 000002
【特許請求の範囲】
【請求項１】
天井内に配置される室内ユニット本体内部に送風機と熱交換器とドレンポンプとドレンパンとを備え、前記ドレンパンには前記ドレンポンプの下方に排水用のドレン口と、前記ドレン口を封止するドレンキャップとを有し、前記ドレンキャップのフランジ部を樹脂部材で覆って一体的に配設し、前記ドレンキャップで前記ドレン口を封止した時に前記樹脂部材を固定する係止部を前記ドレンパンに設けたことを特徴とする空気調和機。
【請求項２】
樹脂部材に取っ手部を設けたことを特徴とする請求項１記載の空気調和機。
【発明の詳細な説明】
【技術分野】
【０００１】
本発明は室内ユニットの特にドレンキャップ近傍の構造のコスト低減および露付き性能向上を可能とした空気調和機に関するものである。
【背景技術】
【０００２】
従来、この種の空気調和機は天井内に設置されており、ドレン排水のつまりやドレンポンプの故障の際に容易にメンテナンスができるよう、化粧パネルの一部を開けるだけで、ドレンパンのドレン口から排水するためのドレンキャップを外すことができるような構造になっている（例えば、特許文献１参照）。
【０００３】
図３は、特許文献１に記載された従来の空気調和機の側面断面図を示すものである。また、図４は従来の空気調和機のドレン口周辺詳細図を示すものである。また、図５は従来の空気調和機のドレン口周辺詳細図を示すものである。図３、図４、および図５に示すように、室内ユニット本体１の内部に、送風機２が配置されている。その外周に熱交換器３が配置され、熱交換器３の下方に凝縮水を受けるドレンパン４が配置されている。ドレンパン４に溜まった凝縮水をドレンポンプ５にて汲み上げ、ドレン排水口６を経由して室内ユニット本体１から外部へと放出される。ドレン排水管のつまりや、ドレンポンプ５の故障等の際に、ドレンパン４に溜まった凝縮水を排除するために、ドレンパン４内のドレンポンプ５の下方にドレン口７が設けられており、ドレン口７にはドレンキャップ８が取り付けられている。通常ドレンキャップ８は容易に外すことができ、かつ水漏れが発生しないように、ゴムでできている。また、自重とドレン水の圧力によりドレンキャップ８が外れないよう、化粧パネル９の内部にドレンキャップカバー１０を配置し、カバー取り付けネジ１１にて固定して押圧している。
【特許文献１】特開２００２−１３０７２９号公報
【発明の開示】
【発明が解決しようとする課題】
【０００４】
しかしながら、前記従来の構成では、ドレンパン４に溜まった凝縮水の伝熱により、ドレンキャップ８が冷やされドレンキャップ８の下方に結露が発生する恐れがあるため、ドレンキャップ８の下方に断熱材１２を貼り付けなければならないという課題を有していた。また、化粧パネル９取り付け時の取り付け位置のバラツキにより、ドレンキャップカバー１０がドレンキャップ８を覆いきらない恐れがあるため、ドレンキャップカバー１０を大きくしなければならなかったり、化粧パネル９高さ調整によっては確実に押圧できなかったりするという課題を有していた。
【０００５】
本発明は、前記従来の課題を解決するもので、ドレンキャップに結露防止用の断熱材等を貼り付けることなく、かつ化粧パネル内部にドレンキャップカバーのような化粧パネルの構成部品以外のものを配置する必要がなく、ドレンキャップが外れることによる水漏れが発生することがなく、安価でかつ露付き性能がよい空気調和機を提供することを目的とする。
【課題を解決するための手段】
【０００６】
前記従来の課題を解決するために、本発明の空気調和機は、天井内に配置される室内ユニット本体内部に送風機と熱交換器とドレンポンプとドレンパンを備えた天井埋め込み型空気調和機において、ドレンパンのドレン口に取り付けられている排水用のドレンキャップのフランジ部を樹脂部材で覆い、ドレンパンに係止部を設けてこの樹脂部材を機械的に固定できるものである。これによって、ドレンキャップと樹脂部材とが一体となるため、
化粧パネル内に化粧パネルの必要構造部品以外の部品が不要となり、かつドレンキャップ下方の結露防止用の断熱材が不要となるため、安価で露付き性能のよい室内ユニットの生産が可能となる。
【０００７】
また、ドレンキャップの外周部の樹脂部材に取っ手部を設けることにより、ドレンキャップを容易に外すことが可能となるため、サービス性のよい室内ユニットの生産が可能となる。
【発明の効果】
【０００８】
本発明の空気調和機は、室内ユニット本体内部に配置されたドレンパンに取り付けられているドレンキャップの構造に関して、コストダウンが計れ、露付き性能がよくなり、かつサービス性が向上できる。
【発明を実施するための最良の形態】
【０００９】
第１の発明は、天井内に配置される室内ユニット本体内部に送風機と熱交換器とドレンポンプとドレンパンを備えた天井埋め込み型空気調和機において、ドレンパンのドレン口に取り付けられている排水用のドレンキャップのフランジ部を樹脂で覆い、ドレンパンに係止部を設けてこの樹脂部材を機械的に固定できるものである。これによって、ドレンキャップと樹脂部材とが一体となるため、化粧パネル内に化粧パネルの必要構造部品以外の部品が不要となり、かつドレンキャップ下方の結露防止用の断熱材が不要となるため、安価で露付き性能のよい室内ユニットの生産が可能となる。
【００１０】
第２の発明は、特に、第１の発明の空気調和機において、ドレンキャップの外周部の樹脂部材に取っ手部を設けることにより、ドレンキャップを容易に外すことが可能となるため、サービス性のよい室内ユニットの生産が可能となる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機のドレン口周辺詳細図を示すものである。図１において、室内ユニット本体１の内部に、熱交換器３は配置されている。熱交換器３から出る凝縮水を受けるドレンパン４が配置され、ドレンパン４に溜まった凝縮水を室内ユニット本体１の外部へ放出するドレンポンプ５が配置されている。ドレン排水管のつまりや、ドレンポンプ５の故障等のメンテナンスの際に、ドレンパン４に溜まった凝縮水を排除するために、ドレンパン４内のドレンポンプ５の下方にドレン口７が設けられており、ドレン口７にはゴム製のドレンキャップ８が取り付けられている。
【００１３】
ドレンキャップ８には、樹脂製で外れ防止用のドレンキャップカバー１０がドレンキャップ８のフランジ部８ａに一体成型されている。ドレンパン４にはドレンキャップカバー１０に合わせて係止部１１ａが設けられ、一体成型されたドレンキャップ８をドレン口７に挿入後、カバー取り付けネジ１１ｂにてドレンパン４に機械的に固定される。このことにより、ゴム製のドレンキャップ８が自重や凝縮水の圧力等により外れてしまう恐れはない。また、ドレンキャップ８とドレンキャップカバー１０が一体成型されているため、ドレンキャップ８の下方の断熱が強化され、ドレンキャップ８の下方への断熱材の貼付けが不要となる。
【００１４】
以上のように、本実施の形態においては天井内に配置される室内ユニット本体内部に送風機と熱交換器とドレンポンプとドレンパンを備えた天井埋め込み型空気調和機において、ドレンパンに取り付けられている緊急排水用のドレンキャップの外周を樹脂で覆い、ド
レンキャップがドレンパンに機械的に固定できるものである。これによって、ドレンキャップとドレンキャップカバーが一体となるため、化粧パネル内に化粧パネルの必要構造部品以外の部品が不要となり、かつドレンキャップ下方の結露防止用の断熱材が不要となるため、安価で露付き性能のよい室内ユニットの生産が可能となる。
【００１５】
（実施の形態２）
図２は、本発明の第２の実施の形態における空気調和機のドレン口周辺詳細図を示すものである。図２において、室内ユニット本体１の内部に、熱交換器３は配置されている。熱交換器３から出る凝縮水を受けるドレンパン４が配置され、ドレンパン４に溜まった凝縮水を室内ユニット本体１の外部へ放出するドレンポンプ５が配置されている。ドレン排水管のつまりや、ドレンポンプ５の故障等の際に、ドレンパン４に溜まった凝縮水を排除するために、ドレンパン４内のドレンポンプ５の下方にドレン口７が設けられており、ドレン口７にはゴム製のドレンキャップ８が取り付けられている。ドレンキャップ８の外れ防止用のドレンキャップカバー１０が樹脂製でかつドレンキャップ８と一体成型されている。ドレンキャップカバー１０の下方に取っ手部１３が形成されている。このことにより、メンテナンス時、ドレンキャップ８をドレン口７から外す際、容易に外すことができる。
【００１６】
以上のように、本実施の形態においてはドレンキャップの外周部のドレンキャップカバーに取っ手部を設けることにより、ドレンキャップを容易に外すことが可能となるため、サービス性のよい室内ユニットの生産が可能となる。
【産業上の利用可能性】
【００１７】
以上のように、本発明にかかる空気調和機は、天井内に配置される室内ユニット本体内部に送風機と熱交換器とドレンポンプとドレンパンを備えた天井埋め込み型空気調和機において、ドレンパンに取り付けられている緊急排水用のドレンキャップの外周を樹脂で覆い、ドレンキャップがドレンパンに機械的に固定できることにより、ドレンキャップとドレンキャップカバーが一体となるため、化粧パネル内に化粧パネルの必要構造部品以外の部品が不要となり、かつドレンキャップ下方の結露防止用の断熱材が不要となるため、安価で露付き性能のよい室内ユニットの生産が可能となるので、空気調和機以外の用途にも適用できる。
【図面の簡単な説明】
【００１８】
【図１】本発明の実施の形態１における空気調和機のドレン口周辺詳細図
【図２】本発明の実施の形態２における空気調和機のドレン口周辺詳細図
【図３】従来の空気調和機の側面断面図
【図４】従来の空気調和機のドレン口周辺詳細図
【図５】従来の空気調和機のドレン口周辺詳細図
【符号の説明】
【００１９】
１  室内ユニット本体
２  送風機
３  熱交換器
４  ドレンパン
５  ドレンポンプ
６  ドレン排水口
７  ドレン口
８  ドレンキャップ
９  化粧パネル
１０  ドレンキャップカバー
１１ａ  係止部
１１ｂ  カバー取り付けネジ
１２  断熱材
１３  取っ手部
【図１】
2007057108.tif 000003
【図２】
2007057108.tif 000004
【図３】
2007057108.tif 000005
【図４】
2007057108.tif 000006
【図５】
2007057108.tif 000007